(57)【要約】【課題】映像信号への処理を避けつつ、液晶パネルの輝度をシネマ映像に最適な輝度とすることが困難であった。【解決手段】黒帯検知回路２６が、レターボックス型の映像信号などの視聴対象映像の上下に加えられた黒帯を検知し、同黒帯が検知された場合、マイコン５０が、インバータ６２にバックライト６１の発光輝度を低下させるための制御信号としての、所定のデューティ比を有するパルス信号Ｐを生成し、インバータ６２は、同パルス信号Ｐに基づいてスイッチング回路６２ｃから出力する駆動パルス信号のデューティ比を変化させ、バックライト６１はその発光輝度を低下させ、液晶パネル４０は、シネマ映像の視聴に最適な輝度で発光する。また、入力映像信号に基づく映像をそのまま液晶パネル４０において表示することができ、入力映像信号が本来持つ階調性を画面上にて忠実に表現できる。【選択図】  図３
2005286735.tif 000002
【特許請求の範囲】
【請求項１】
所定のアスペクト比を有するとともに表示面が複数画素にて形成される液晶パネルと、同液晶パネルの背面側に配設され液晶パネルの表示面を背面から照射するバックライトと、同バックライトに電圧を印加することによって同バックライトを所定の発光輝度にて点灯させるインバータと、入力映像信号に対して所定の信号処理を施す映像信号処理回路と、同映像信号に基づいて上記液晶パネルに画像を表示させる液晶ドライバ回路と、上記各構成機器を制御するマイコンとを備えた液晶テレビジョンにおいて、
上記バックライトは蛍光管であり、
上記映像信号処理回路は、一画面分の映像信号において所定の垂直走査線を走査して検出した各画素の輝度値の変化度合いに基づいて、上記液晶パネルとアスペクト比が異なる横長の映像の上下部分に加えられた黒帯を検知する黒帯検知回路を備え、
上記マイコンは、黒帯検知回路が上記黒帯を検知した場合に、上記インバータに蛍光管の発光輝度を低下させるための所定のデューティ比を有するパルス信号を生成して上記インバータに送信し、
上記インバータは、マイコンから送信された上記パルス信号に基づいて蛍光管に供給する交流電圧の出力を変化させることにより、同蛍光管の発光輝度を上記黒帯を上下部分に有した映像の視聴に適した発光輝度にまで低下させることを特徴とする液晶テレビジョン。
【請求項２】
液晶パネルの所定位置に配設されて同液晶パネルを背面から照射するバックライトを制御するバックライト制御装置であって、
上記液晶パネルとアスペクト比が異なる横長の映像を同映像の上下部分に黒帯を加えた状態で上記液晶パネルに表示する際に上記バックライトの発光輝度を所定の度合いで変化させるバックライト制御手段を備えることを特徴とするバックライト制御装置。
【請求項３】
上記バックライト制御手段は、上記黒帯を検知する黒帯検知手段を備え、
同黒帯検知手段は、映像信号において所定の垂直走査線を走査して各画素の輝度値を検出し、同検出した輝度値の各画素間における変化度合いに基づいて上記黒帯が映像信号に含まれているか否か判断することを特徴とする請求項２に記載のバックライト制御装置。
【請求項４】
上記バックライト制御手段は、マイコンとインバータとを備え、
同マイコンは、上記黒帯検知手段が上記黒帯を検知した場合に、バックライトの発光輝度を低下させるための制御信号を生成して同インバータに送信し、
同インバータは、上記制御信号に基づいてバックライトの発光輝度を低下させることを特徴とする請求項３に記載のバックライト制御装置。
【請求項５】
上記マイコンは、上記黒帯検知手段が上記黒帯を検知した場合に、所定のデューティ比を有するパルス信号を生成し、上記インバータは、同パルス信号に基づいてバックライトに供給する交流電圧の出力を変化させて同バックライトの発光輝度を低下させることを特徴とする請求項４に記載のバックライト制御装置。
【請求項６】
上記バックライトは、蛍光管であることを特徴とする請求項２〜請求項５のいずれかに記載のバックライト制御装置。
【請求項７】
液晶パネルの所定位置に配設されて同液晶パネルを背面から照射するバックライトを制御するバックライト制御方法であって、
上記液晶パネルとアスペクト比が異なる横長の映像を同映像の上下部分に黒帯を加えた状態で上記液晶パネルに表示する際に上記バックライトの発光輝度を所定の度合いで変化させることを特徴とするバックライト制御方法。
【発明の詳細な説明】
【技術分野】
【０００１】
本発明は、液晶テレビジョン、バックライト制御装置およびバックライト制御方法に関する。
【背景技術】
【０００２】
従来より、テレビジョンにてシネマ映像などを視聴する場合には、画面の輝度が同視聴するシネマ映像に適した輝度になる様に、ユーザモードでの操作などによって同画面の輝度を低下させるように調節していた。
【０００３】
また、従来技術として、スクリーンに投射される映像の面積と光源ランプから出射されて投射レンズを通る光束から算出した投射映像の照度と、投射映像領域近傍のスクリーン上の照度とに基づいて黒レベル補正値を算出し、光源手段に供給される電力を制御する投射型映像表示装置が知られている（例えば、特許文献１参照。）。
同投射型映像表示装置では、投射映像の照度と投射映像領域近傍のスクリーン上の照度との差によって、光源手段に供給される電力を上げたり下げたりする。
【特許文献１】特開２００２‐２５０９０６号公報
【発明の開示】
【発明が解決しようとする課題】
【０００４】
上述した従来の画面の輝度調整においては、入力した映像信号に対してブライトネスの低下など所定の信号処理を施すことで、シネマ映像の視聴に適した明るさに調整していた。このように、映像信号自体に調整を加えていたため、表示される映像は入力した映像信号が意図する本来の映像と比較して階調性が損なわれた映像となる場合があった。
また、上記特許文献１においては、光源手段の出力の調整は、上記投射映像の照度と投射映像領域近傍のスクリーン上の照度とに基づいて行う。従って、映像表示装置が表示しようとする映像信号の持つ特性に基づいて光源の出力を調整できないという課題があった。
【０００５】
本発明は、上記課題にかんがみてなされたもので、シネマ映像を視聴する際に、液晶パネルの明るさを最適な明るさに調整することが可能な液晶テレビジョン、バックライト制御装置およびバックライト制御方法を提供することを目的とする。
【課題を解決するための手段】
【０００６】
上記目的を達成するため請求項１の発明は、所定のアスペクト比を有するとともに表示面が複数画素にて形成される液晶パネルと、同液晶パネルの背面側に配設され液晶パネルの表示面を背面から照射するバックライトと、同バックライトに電圧を印加することによって同バックライトを所定の発光輝度にて点灯させるインバータと、入力映像信号に対して所定の信号処理を施す映像信号処理回路と、同映像信号に基づいて上記液晶パネルに画像を表示させる液晶ドライバ回路と、上記各構成機器を制御するマイコンとを備えた液晶テレビジョンにおいて、上記バックライトは蛍光管であり、上記映像信号処理回路は、一画面分の映像信号において所定の垂直走査線を走査して検出した各画素の輝度値の変化度合いに基づいて、上記液晶パネルとアスペクト比が異なる横長の映像の上下部分に加えられた黒帯を検知する黒帯検知回路を備え、上記マイコンは、黒帯検知回路が上記黒帯を検知した場合に、上記インバータに蛍光管の発光輝度を低下させるための所定のデューティ比を有するパルス信号を生成して上記インバータに送信し、上記インバータは、マイコンから送信された上記パルス信号に基づいて蛍光管に供給する交流電圧の出力を変化させることにより、同蛍光管の発光輝度を上記黒帯を上下部分に有した映像の視聴に適した発光輝度にまで低下させる構成としてある。
【０００７】
上記のように構成した請求項１の発明においては、液晶テレビジョンは、所定のアスペクト比を有するとともに表示面が複数画素にて形成される液晶パネルと、同液晶パネルの背面側に配設されて液晶パネルの表示面を背面から照射するバックライトと、同バックライトに電圧を印加することによって同バックライトを所定の発光輝度にて点灯させるインバータと、入力映像信号に対して所定の信号処理を施す映像信号処理回路と、同映像信号に基づいて上記液晶パネルに画像を表示させる液晶ドライバ回路と、上記各構成機器を制御するマイコンとを備える。
【０００８】
ここで、上記映像信号処理回路は黒帯検知回路を備え、同黒帯検知回路によって、入力映像信号から上記黒帯を検知する。すなわち、アスペクト比が１６：９となるレターボックス型の映像など、液晶パネルのアスペクト比よりも横長の映像を視聴する場合には、視聴対象となる映像の上下には黒帯が加えられている。当該黒帯を検知することで、入力映像信号にかかる映像の種類を容易に判別できる。具体的には、一画面分の映像信号において所定の垂直走査線を走査し、同走査によって検出した各画素の輝度値の変化度合いに基づいて上記黒帯があるか否かを判断する。
【０００９】
上記マイコンは、黒帯検知回路が上記黒帯を検知した場合に、上記インバータに蛍光管の発光輝度を低下させるための所定のデューティ比を有するパルス信号を生成して上記インバータに送信する。上記インバータは、マイコンから送信されたパルス信号を受信し、同パルス信号に基づいてバックライトである蛍光管に供給する交流電圧の出力を変化させる。その結果、同蛍光管の発光輝度を、上記黒帯を上下部分に有した映像の視聴に適した発光輝度にまで低下させる。黒帯を上下に有する映像信号は、通常、シネマ映像に用いられることが多い。そこで、本願構成を用いれば、液晶テレビジョンにおいてシネマ映像を視聴する際に、同シネマ映像の視聴に最適な明るさまで、液晶パネルの輝度を自動的に低下させることができる。
【００１０】
請求項２の発明は、液晶パネルの所定位置に配設されて同液晶パネルを背面から照射するバックライトを制御するバックライト制御装置であって、上記液晶パネルとアスペクト比が異なる横長の映像を同映像の上下部分に黒帯を加えた状態で上記液晶パネルに表示する際に、上記バックライトの発光輝度を所定の度合いで変化させるバックライト制御手段を備える構成としてある。
【００１１】
上記のように構成した請求項２の発明においては、バックライト制御装置は、液晶パネルの所定位置に配設されて同液晶パネルを背面から照射するバックライトを制御する。
ここで、バックライト制御手段は、液晶パネルとアスペクト比が異なる横長の映像を同映像の上下部分に黒帯を加えた状態で表示させる映像信号を入力した場合に、上記バックライトの発光輝度を所定の度合いで変化させる。黒帯を上下に有する映像信号は、通常、シネマ映像に用いられることが多い。そこで、本願構成を用いれば、シネマ映像を視聴する際に、同シネマ映像の視聴に最適な明るさに液晶パネルの輝度を自動的に制御することができる。
【００１２】
請求項３の発明は、請求項２に記載のバックライト制御装置において、上記バックライト制御手段は、上記黒帯を検知する黒帯検知手段を備え、同黒帯検知手段は、映像信号において所定の垂直走査線を走査して各画素の輝度値を検出し、同検出した輝度値の各画素間における変化度合いに基づいて上記黒帯が映像信号に含まれているか否か判断する構成としてある。
【００１３】
上記黒帯検知手段を設けることで、バックライト制御手段は、映像信号が上記黒帯を有するものであるか否かを自動判別できる。具体的には、映像信号中の所定の垂直走査線を走査して各画素の輝度値を検出し、同検出した輝度値の各画素間における変化度合いに基づいて上記黒帯が映像信号に含まれているか否か判断する。すなわち、映像信号が黒帯を上下に有する場合は、上下部分の所定数の画素では輝度が基本的に最低値となるため、垂直走査線を走査して輝度値の変化度合いを観察すれば、容易に上記黒帯を検知することができる。
【００１４】
請求項４の発明は、請求項３に記載のバックライト制御装置において、上記バックライト制御手段は、マイコンとインバータとを備え、同マイコンは、上記黒帯検知手段が上記黒帯を検知した場合に、バックライトの発光輝度を低下させるための制御信号を生成して同インバータに送信し、同インバータは、上記制御信号に基づいてバックライトの発光輝度を低下させる構成としてある。
【００１５】
上記のように構成した請求項４の発明においては、バックライト制御手段はマイコンとインバータとを備える。マイコンは、黒帯検知手段が上記黒帯を検知した場合に、バックライトの発光輝度を低下させるための制御信号を生成し、同生成した制御信号をインバータに送信する。インバータは、同制御信号に基づいてバックライトの発光輝度を低下させる。
【００１６】
請求項５の発明は、請求項４に記載のバックライト制御装置において、上記マイコンは、上記黒帯検知手段が上記黒帯を検知した場合に、所定のデューティ比を有するパルス信号を生成し、上記インバータは、同パルス信号に基づいてバックライトに供給する交流電圧の出力を変化させて同バックライトの発光輝度を低下させる構成としてある。
【００１７】
上記のように構成した請求項５の発明においては、マイコンは、黒帯検知手段が上記黒帯を検知した場合に、所定のデューティ比を有するパルス信号を生成する。インバータは、同パルス信号を受信し、同パルス信号に基づいてバックライトに供給する交流電圧の出力を変化させ、その発光輝度を低下させる。その結果、バックライトの輝度が、シネマ映像などを視聴するのに最適な輝度に変化する。
【００１８】
請求項６の発明は、請求項２〜請求項５のいずれかに記載のバックライト制御装置において、上記バックライトは、蛍光管である構成としてある。蛍光管は、インバータが供給する交流電圧によって点灯するため、マイコンが生成したパルス信号によるインバータの出力制御により、容易にその発光輝度を変化させることができる。
【００１９】
これまでは、液晶パネルのバックライトの発光輝度を変化させるための技術的思想を、装置の発明として説明した。しかし、同技術的思想はこれを実現する方法の発明としても成立する。従って、請求項７の発明は、液晶パネルの所定位置に配設されて同液晶パネルを背面から照射するバックライトを制御するバックライト制御方法であって、上記液晶パネルとアスペクト比が異なる横長の映像を同映像の上下部分に黒帯を加えた状態で上記液晶パネルに表示する際に、上記バックライトの発光輝度を所定の度合いで変化させる構成としてある。
むろん、請求項１の発明または請求項２に従属する請求項３〜請求項６の発明に対応する方法の発明を把握することも可能であることは言うまでもない。
【発明の効果】
【００２０】
以上説明したように、本願発明によれば、視聴対象映像の上下部分に黒帯を有するシネマ映像を視聴する場合に、バックライトの発光輝度を低下させることで、容易に同シネマ映像の視聴に適した明るさに液晶パネルを調光することができる。また、入力映像信号に対する輝度調整のための信号処理は不要であるため、入力映像信号が本来持つ階調性を画面上にて忠実に表現できる。
【発明を実施するための最良の形態】
【００２１】
図１は、本願発明の一実施形態にかかる液晶テレビジョンの概略構成を示している。
同図に示すように、液晶テレビジョン１００は、概略、チューナ１０と、ＲＧＢ信号生成回路２０と、液晶ドライバ回路３０と、液晶パネル４０と、マイコン５０と、バックライト部６０とからなる。同構成においてマイコン５０は、液晶テレビジョン１００を構成する各部とＩＩＣバス７０を介して接続しており、ＣＰＵ５１が、ＲＯＭ５２やＲＡＭ５３などのメモリに書き込まれた各プログラムに従って、液晶テレビジョン１００全体を制御する。また、マイコン５０には、操作パネル５４と、リモコンＩ／Ｆ５５とが接続しており、同操作パネル５４を介しての入力信号や、リモコンＩ／Ｆ５５を介してなされるリモコンによる入力信号によって、液晶テレビジョン１００における種々の処理を制御できる。
【００２２】
チューナ１０は、マイコン５０の制御により、アンテナ１０ａを介してテレビジョン放送信号を受信する。そして、同チューナ１０は、所定の信号増幅処理等を行いつつ、テレビジョン放送信号から中間周波信号としての合成映像信号を抽出し、ＲＧＢ信号生成回路２０のＡ／Ｄ変換回路２１へ出力する。Ａ／Ｄ変換回路２１は、入力した合成映像信号を、その信号レベルに応じてデジタル信号化する。以下、デジタル信号化された合成映像信号に対する一般的な処理を説明する。Ｙ／Ｃ分離回路２２はデジタル化された合成映像信号に基づいて、輝度信号とクロマ信号への分離を行なう。分離された輝度信号は、画質調整回路２３に入力し、信号増幅処理など所定の調整が行なわれた後、マトリクス回路２５に出力される。一方、分離されたクロマ信号は、色復調回路２４において、Ｒ‐Ｙ及びＢ‐Ｙの色差信号に復調された後、マトリクス回路２５に出力される。
【００２３】
マトリクス回路２５では、入力した輝度信号と色差信号とに基づいてマトリクス変換処理を行ない、画像データとしてのＲＧＢ（レッド、グリーン、ブルー）信号を生成する。本実施形態では、ＲＧＢ信号生成回路２０は黒帯検知回路２６を備えている。同黒帯検知回路２６は、マトリクス回路２５から出力されたＲＧＢ信号の輝度レベルを検出し、映像中の所定位置に輝度レベルが低い黒帯が含まれているか検知する。かかる検知については後述する。
【００２４】
次に、ＲＧＢ信号は液晶ドライバ回路３０に出力される。液晶ドライバ回路３０は、画素数変換回路３１と、画質調整回路３２と、出力処理回路３３と、フレームメモリ３４とを有している。画素数変換回路３１は、上記ＲＧＢ信号を入力し、このＲＧＢ信号に対してスケーリング処理を行いつつ、液晶パネル４０に表示される１画面分のＲＧＢ信号を生成する。そして、１画面分のＲＧＢ信号を画素情報としてフレームメモリ３４に格納する。
【００２５】
画質調整回路３２は、通常、画素数変換回路３１によってスケーリング処理が施されてフレームメモリ３４に格納されたＲＧＢ信号に対して、ブライトネス、コントラスト、黒バランスおよび白バランスの調整を行う。ただし、本願においては、液晶パネル４０の輝度調整をバックライト６１の制御により行うため、同画質調整回路３２でのブライトネス調整といった、ＲＧＢ信号の階調値自体に調整を加えて液晶パネル４０の輝度を変化させる処理は不要となる。出力処理回路３３は、図示しない同期回路から出力された同期信号と上記ＲＧＢ信号とに基づいてコントロール信号電圧を生成し、同コントロール信号電圧によって、画素別・色別に、液晶パネル４０におけるＲ用液晶パネル、Ｇ用液晶パネル、Ｂ用液晶パネルを駆動する
【００２６】
バックライト部６０は、液晶パネル４０を背面から照射する光源の役割を果たすバックライト６１と、直流電圧を交流電圧に変換した上で、同交流電圧をバックライト６１に供給して点灯させるインバータ６２とからなる。本実施形態においては、バックライト６１は蛍光管である。また、インバータ６２はマイコン５０と接続している。インバータ６２は、マイコン５０から制御信号としてのパルス信号Ｐを受信し、同パルス信号Ｐに基づいてバックライト６１に印加する交流電圧のデューティ比を変化させる。同パルス信号Ｐに基づいてデューティ比が変化した交流電圧がバックライト６１に印加されると、後述するように、バックライト６１の発光輝度が変化する。
【００２７】
図２は、シネマ映像を液晶パネル４０に表示した場合を示している。
本実施形態では、液晶パネル４０は、縦横のアスペクト比が３：４の画像表示面を備えている。一方、シネマ映像に多く見られる、いわゆるレターボックス型の映像では、同図に示すように、縦横のアスペクト比が９：１６の視聴対象映像の上下に黒帯を付加して縦横比を３：４としている。ここで、シネマ映像は、劇場の明るさを想定して映像信号が構成されていることが通常であるため、一般的なテレビジョン放映画像を視聴する場合に設定する画面の輝度では、シネマ映像を視聴した際画面が明るすぎると感じる場合が多い。また、シネマ映像を視聴する際には、輝度を下げることで画面全体を落ち着かせ、フィルムによる細やかな質感を再現することが可能となる。
【００２８】
そこで本願では、液晶テレビジョン１００が、液晶パネル４０とはアスペクト比が異なる映像とその上下に付加された黒帯とを有する映像信号によって映像表示する場合に、バックライト６１の発光輝度を所定の輝度に下げることで、液晶パネル４０を上記シネマ映像の視聴に最適な明るさに調光する。
【００２９】
黒帯検知回路２６による処理について説明する。
黒帯検知回路２６では、１画面分の上記ＲＧＢデータについて、所定の垂直走査線を走査して各画素の輝度値を取得する。そして、所定数の垂直走査線において、上下から夫々所定数の画素の輝度値が０か、それに近い値として定めたしきい値以下であることが検出されたら上記黒帯を検知できたものとして、黒帯検知信号を生成しマイコン５０に出力する。
【００３０】
あるいは、黒帯検知回路２６は、黒帯と視聴対象となる映像との境界に生じるエッジを検出することで上記黒帯を検知してもよい。すなわち、黒帯を表示する画素から取得される輝度値は基本的に０であるため、同境界においては輝度値の変化度合いが急峻となる。従って、所定数の垂直走査線の走査において、輝度値の変化度合いの程度に基づいて画面の上下における所定位置に上記エッジを検出することができたら、上記黒帯を検知できたものとしてもよい。また、かかるエッジの検出には、ラプラシアンフィルタなど公知のエッジ検出フィルタを用いることができる。
【００３１】
なお、黒帯検知回路２６による自動検知を行わず、映像を視聴するユーザの判断によって、バックライト６１の発光輝度を変化させるようにしてもよい。すなわち、ユーザが設定可能な液晶パネル４０の輝度を指定するモードとして、「標準モード」や「シネマモード」を用意する。そして、リモコンや操作パネル５４を介して上記シネマモードが設定された場合に、リモコンＩ／Ｆ５５や操作パネル５４からＣＰＵ５１に上記黒帯検知信号に相当する信号を送信するようにしてもよい。
【００３２】
図３は、マイコン５０によるパルス信号Ｐの生成処理のフローを示している。
マイコン５０は、黒帯検知回路２６または、リモコンＩ／Ｆ５５や操作パネル５４から、黒帯検知信号の送信があるか否かを監視する（ステップＳ１００）。黒帯検知信号の送信がない場合は、本願にかかるバックライト制御処理は行わず、マイコン５０はそのまま監視を継続する。黒帯検知信号の送信があった場合は、マイコン５０は、所定のデューティ比を有するパルス信号Ｐを生成する（ステップＳ２００）。デューティ比とは、パルス信号の周期に占めるハイ（Ｈ）レベルの割合を言う。パルス信号Ｐは、バックライト６１に交流電圧を供給するインバータ６２に対する制御信号であり、そのデューティ比を変化させることで、インバータ６２がバックライト６１に供給する交流電圧も変化する。本実施形態においては、ステップＳ２００でマイコン５０は、インバータ６２にバックライト６１の発光輝度を低下させるためのパルス信号Ｐを生成する。
【００３３】
そして、マイコン５０は、同パルス信号Ｐをインバータ６２に送信する（ステップＳ３００）。なお、バックライト６１の発光輝度の低下度合いを定めることとなるパルス信号Ｐのデューティ比は、ユーザがリモコンや操作パネル５４を介して自由に設定することができる。
【００３４】
図４は、バックライト部６０とマイコン５０とをブロック図により示している。
同図において、インバータ６２は、発振回路６２ａと、波形合成回路６２ｂと、スイッチング回路６２ｃとを備えている。また、インバータ６２は、接続線６２ｄにより直流電圧を取得している。同直流電圧は、図示しない電源用回路から供給されており、同電源用回路は液晶テレビジョン１００全体を駆動させるために商用交流電源を直流電圧に変換している。同直流電圧は、発振回路６２ａで生成された所定の周波数の発振信号と波形合成回路６２ｂにおいて合成された後、スイッチング回路６２ｃに出力される。同スイッチング回路６２ｃは、入力した直流電圧を駆動パルス信号に変換してバックライト６１に出力する。
【００３５】
すなわち、スイッチング回路６２ｃに入力した直流電流に対してスイッチング素子６２ｃ１をオン・オフに交互に切換えることで、出力側に駆動パルス信号を取り出す。スイッチング回路６２ｃから出力された駆動パルス信号は、蛍光管であるバックライト６１の電極に印加され、同バックライト６１を点灯させる。ここで、駆動パルス信号の供給を受けて点灯するバックライト６１の発光輝度は、同駆動パルス信号のデューティ比によって定まる。バックライト６１は、駆動パルス信号の信号レベルがＨレベルであるときに点灯し、Ｌレベルであるときは無点灯となる。従って、バックライト６１の輝度は、供給される駆動パルス信号のＨレベルとＬレベルの比によって定まり、駆動パルス信号のデューティ比が高いほど高輝度で発光する。逆に、駆動パルス信号のデューティ比が低いほど低輝度で発光する。
【００３６】
バックライト６１の発光輝度を変化させるには、上記駆動パルス信号のデューティ比を変化させればよい。具体的には、スイッチング回路６２ｃがスイッチング素子６２ｃ１を切換えるタイミングを変化させる制御信号をインバータ６２に与える。そこで、上述したように、マイコン５０は、インバータ６２の制御信号としてのパルス信号Ｐをインバータ６２のスイッチング回路６２ｃに送信する。
【００３７】
上記パルス信号Ｐがスイッチング回路６２ｃに与えられると、同パルス信号Ｐがスイッチング素子６２ｃ１の切替のタイミングを制御する。その結果、上記駆動パルス信号のデューティ比は低下する。つまり、インバータ６２はパルス信号Ｐによって、出力する駆動パルス信号のデューティ比を低下させるように制御され、その結果、バックライト６１の発光輝度が所定の輝度にまで低下する。
【００３８】
このように、シネマ映像として用いられるレターボックス型の映像信号など、視聴対象映像の上下に黒帯を表示する映像信号による映像表示を行う場合、バックライト６１の発光輝度を所定の輝度にまで低下させることで、液晶パネル４０の画面の輝度を自動的に上記シネマ映像の視聴に適した輝度に調整することができる。また、本願構成によれば、液晶パネル４０の画面の輝度を低下させるに際しては、映像信号の階調値を減ずる処理を行う必要がない。そのため、映像信号の階調値範囲が不用意に狭まることも無く、基本的には入力映像信号に基づく映像をそのまま液晶パネル４０において表示でき、入力映像信号が本来持つ階調表現性を豊かなまま画面上にて忠実に表現できる。
【図面の簡単な説明】
【００３９】
【図１】本願発明の一実施形態にかかる液晶テレビジョンの概略構成図である。
【図２】シネマ映像を液晶パネルに表示した場合の説明図である。
【図３】パルス信号の生成処理を示したフローチャートである。
【図４】バックライト部とマイコンとを示したブロック図である。
【符号の説明】
【００４０】
１０…チューナ
１０ａ…アンテナ
２０…ＲＧＢ信号生成回路
２１…Ａ／Ｄ変換回路
２２…Ｙ／Ｃ分離回路
２３…画質調整回路
２４…色復調回路
２５…マトリクス回路
２６…黒帯検知回路
３０…液晶ドライバ回路
４０…液晶パネル
５０…マイコン
５１…ＣＰＵ
５２…ＲＯＭ
５３…ＲＡＭ
５４…操作パネル
５５…リモコンＩ／Ｆ
６０…バックライト部
６１…バックライト
６２…インバータ
６２ａ…発振回路
６２ｂ…波形合成回路
６２ｃ…スイッチング回路
６２ｃ１…スイッチング素子
１００…液晶テレビジョン
【図１】
2005286735.tif 000003
【図２】
2005286735.tif 000004
【図３】
2005286735.tif 000005
【図４】
2005286735.tif 000006